(57)【要約】【課題】長手部材を被固定部に容易に取付けることが可能な長手部材固定装置を提供する。【解決手段】長手部材を所定の厚さを有する踏板３１に固定する長手部材固定装置１０は、長手部材を挿入可能な空間を有する円筒状の部材保持部１１と、部材保持部１１と一体的に設けられ、所定の軸２５を中心に回動可能なカム部材２７，２８を有する固定部２０とを含む。カム部材２７，２８は、踏板３１を保持する部分に対して第１のすき間を有する第１の位置と、第１のすき間より狭い第２のすき間を有する第２の位置とのいずれかの位置を保持可能である。固定部２０はカム部材２７,２８と踏板３１との間隔を第２の位置に付勢するばね２９を含む。ばね２９の付勢力に対抗して、カム部材２７、２８を踏板３１に押し込むことによって長手部材固定装置１０を踏板３１に固定する。【選択図】図１
2015209719.tif 000002
【特許請求の範囲】
【請求項１】
長手部材を所定の厚さを有する被固定部に固定する長手部材固定装置であって、
長手部材を挿入可能な空間を有する部材保持部と、
前記部材保持部と一体的に設けられ、所定の軸を中心に回動可能なカム部材を有する固定部とを含み、
前記カム部材は前記被固定部を保持する部分に対して第１の間隔を有する第１の位置と、第１の間隔より狭い第２の間隔を有する第２の位置とのいずれかの位置を保持可能であり、
前記固定部は、前記カム部材を前記第２の位置を保持するよう付勢する付勢手段を含む
、長手部材固定装置。
【請求項２】
前記カム部材の前記被固定部と対向する弧状部材の底部には、複数の凸部が設けられている、請求項１に記載の長手部材固定装置。
【請求項３】
前記カム部材は前記軸に沿って複数設けられる、請求項１または２に記載の長手部材固定装置。
【請求項４】
前記カム部材の各々に前記付勢手段が設けられ、
前記複数設けられたカム部材は、同時に作動する、請求項３に記載の長手部材固定装置。
【請求項５】
前記カム部材は前記付勢手段の付勢力に対向して、前記カム部材を前記第１の位置を保持するように作動させるレバーを有する、請求項１〜４のいずれかに記載の長手部材固定装置。
【請求項６】
前記カム部材は弧状部材を含み、前記弧状部材は前記第１の位置から前記第２の位置へ順に狭くなる形状を有する、請求項１〜５のいずれかに記載の長手部材固定装置。
【請求項７】
前記カム部材は、前記部材保持部の第１方向に設けられ、前記空間は前記第１方向と交わる第２方向に延在し、前記長手部材は前記第１方向および第２方向に交わる第３方向に延在する、請求項１〜６のいずれかに記載の長手部材固定装置。
【請求項８】
前記カム部材は、前記部材保持部の第３方向に設けられ、前記空間は前記第３方向に交わる第１方向に延在し、前記長手部材は前記第３方向において、前記カム部材とは逆の方向に延在する、請求項１〜６のいずれかに記載の長手部材固定装置。
【発明の詳細な説明】
【技術分野】
【０００１】
この発明は長手部材固定装置に関し、特に、所定の厚さを有する被固定部に長手部材を容易に取り付けることが可能な長手部材固定装置に関する。
【背景技術】
【０００２】
従来、建設現場において、仮設の階段やそれ用の手摺が設けられている。このような仮設手摺の支柱取付け具がたとえば、特開２００８−２５５６８９号公報（特許文献１）に開示されている。特許文献１によれば、仮設手摺の支柱取付け具は、中空状に形成された中空部材と、中空部材の一側に固設され、立設対象を仮設手摺の幅方向の複数箇所にてクランプする固定クランプ部と、中空部材の他側に固設され、支柱をクランプする支柱クランプ部とを備える。その結果、施工作業の邪魔になり難い手摺を仮設することができる仮設手摺の支柱取付け具、及び、仮設手摺の形成方法を提供している。
【先行技術文献】
【特許文献】
【０００３】
【特許文献１】特開２００８−２５５６８９号公報
【発明の概要】
【発明が解決しようとする課題】
【０００４】
従来の仮設手摺は背景技術に述べたように構成されていた。手摺を取り付けるために、複数の固定クランプ部を被固定部材に取り付ける必要があった。この場合、それぞれの固定クランプ部について、複数のボルトを人力で締め付ける必要があり、その手間と労力は相当なものであった。
【０００５】
この発明は上記のような問題点を解消するためになされたもので、仮設手摺のような長手部材を所定の被固定部に容易に取り付けることが可能な長手部材固定装置を提供することを目的とする。
【課題を解決するための手段】
【０００６】
この発明に係る長手部材固定装置は、長手部材を所定の厚さを有する被固定部に固定する長手部材固定装置である。長手部材固定装置は、長手部材を挿入可能な空間を有する部材保持部と、部材保持部と一体的に設けられ、所定の軸を中心に回動可能なカム部材を有する固定部とを含み、カム部材は被固定部を保持する部分に対して第１の間隔を有する第１の位置と、第１の間隔より狭い第２の間隔を有する第２の位置とのいずれかの位置を保持可能であり、固定部は、カム部材を第２の位置を保持するよう付勢する付勢手段を含む。
【０００７】
好ましくは、カム部材の被固定部と対向する弧状部材の底部には、複数の凸部が設けられている。
【０００８】
カム部材は軸に沿って複数設けられてもよい。
【０００９】
カム部材の各々に付勢手段が設けられ、複数設けられたカム部材は、同時に作動するのが好ましい。
【００１０】
カム部材は付勢手段の付勢力に対向して、カム部材を第１の位置を保持するように作動させるレバーを有する。
【００１１】
カム部材は弧状部材を含み、弧状部材は第１の位置から第２の位置へ順に狭くなる形状を有するのが好ましい。
【００１２】
カム部材は、部材保持部の第１方向に設けられ、空間は第１方向と交わる第２方向に延在し、長手部材は第１方向および第２方向に交わる第３方向に延在してもよいし、カム部材は、部材保持部の第３方向に設けられ、空間は第３方向に交わる第１方向に延在し、長手部材は第３方向において、カム部材とは逆の方向に延在してもよい。
【００１３】
長手部材は第１方向と交わる方向に延在してもよいし、第１方向に延在してもよい。
【発明の効果】
【００１４】
付勢手段の付勢力に対抗して、カム部材を所定の被固定部に対して押し込んですき間を広げることにより、カム部材を被固定部に固定することができる。
【００１５】
その結果、仮設手摺のような長手部材を所定の被固定部に容易に取り付けることが可能な長手部材固定装置を提供できる。
【００１６】
また、カム部材の被固定部と対向する弧状部材の底部に、複数の凸部等を設ければ、被固定部に対して長手部材固定装置が食い込んで外れにくくなる。
【図面の簡単な説明】
【００１７】
【図１】長手部材固定装置の斜視図である。
【図２】図１において、矢印ＩＩ-ＩＩで示す部分の平面図である。
【図３】図１において、矢印ＩＩＩ-ＩＩＩで示す部分の側面図である。
【図４】ばねを示す図である。
【図５】レバーを有するカムを示す図である。
【図６】レバーを有さないカムを示す図である。
【図７】長手部材固定装置を階段の手摺支柱に用いた場合の正面図である。
【図８】長手部材固定装置を階段の手摺支柱に用いた場合の手摺支柱の端部を示す図である。
【図９】長手部材固定装置を平坦なステージの手摺に用いた場合の正面図である。
【図１０】この発明の他の実施の形態を示す図である。
【図１１】この発明の実施の形態の具体的な使用例を示す正面図である。
【図１２】この発明の実施の形態の具体的な使用例を示す平面図である。
【発明を実施するための形態】
【００１８】
以下、この発明の実施の形態を、図面を参照して説明する。図１は、この発明の一実施の形態に係る長手部材固定装置の斜視図である。ここでは、理解の容易のために、一部を破断して示している。図２は図１において、矢印ＩＩ-ＩＩで示す部分の平面図であり、図３は、図１において、矢印ＩＩＩ-ＩＩＩで示す部分の側面図である。
【００１９】
ここでは、長手部材固定装置１０を、建設現場の仮設用の階段等に手摺を取り付けるのに使用する場合について説明する。具体的には、仮設の階段においては、仮設用の踏板が設けられ、この踏板に長手部材固定装置１０を固定する。
【００２０】
図１〜図３を参照して、長手部材固定装置１０は、図において上下方向（第３方向）に延在し、底を有する円筒部材１１と、円筒部材１１の径方向（第１方向）に一体化され、外部に設けられた踏板３１のような被固定部に固定するための固定部２０とを含む。固定部２０は、断面が矩形状で、その長手方向の中央部に、横向き（第２方向）に延在する一定の厚さを有する踏板（被固定部）３１を挟むことができるように、開口部を有する逆「コ」の字状の空間２４を有する角型管２１と、角型管２１の、第２方向に対向する辺２１ａ，２１ｂ間に設けられた軸部材２５と、軸部材２５の軸方向において相互に間隔をあけて軸部材２５を中心として回動可能に設けられ、下方向に円弧状の部分を有する一対のカム２７，２８と、一対のカム２７，２８を軸２５に対して、円筒部材１１から離れる方向に付勢する付勢手段としてのばね２９とを含む。一対のカム２７,２８には、ばね２９の付勢力に対向して、一対のカム２７，２８を軸２５に対して、円筒部材１１側に位置させるレバーを設けてもよい。ここでは、カム２７,２８を含む構成をカム部材という。
【００２１】
なお、円筒部材１１は、円筒部材１１に挿入される手摺支柱等を保持できれば、底に限らず、引っ掛かり部を設けてもよい。また、形状としては、円筒形状でなくてもよい。また、角型管は、板金により角型に成形してもよい。
【００２２】
ここでは、一対のカム２７，２８を設けたが、これに限らず、１個のみを設けてもよい。また、一対のカム２７，２８を設けると、製造時の個々の部品誤差による組立時の全体の誤差等により、カム２７,２８と、踏板の厚さや表面状態のばらつきが生じても、カム２７，２８が食い込んで踏板等の被固定部に固定できる。
【００２３】
また、仮設後においては、この手摺を外し、踏板の上に化粧板を装着して、本設の階段とする。
【００２４】
ばね２９はそれぞれが逆方向に巻回された一対のばねをその中央で接続した構成を有し、その接続部２９ａを角型管２１の円筒部材１１とは離れた側の辺２１ｃに当接させ、それぞれの反対側の端部２９ｂをカム２７、２８の弧状部材２７ｂ，２８ｂの円筒部材１１側の側面に係合させている。
【００２５】
なお、これらの一対のばねは接続されていなくてもよい。
【００２６】
ばね２９の具体的な形状を図４に示す。図４（Ａ）は、ばね２９の中央部を上に向けて場合の正面図を示し、図４（Ｂ）は、ばねの側面図を示す。図４（Ａ），（Ｂ）において、ばねに力がかからない自然状態を実線で、ばねに付勢力を与えた状態を二点鎖線で示す。
【００２７】
ばね２９の、接続部２９ａの反対側の端部は、カム２７,２８の弧状部材２７ｂ，２８ｂの端部に係合する。
【００２８】
なお、ここでは、付勢手段として、コイルばねを用いた例をあげて説明したが、これに限らず、他のばね等であってもよい。
【００２９】
ここでは、レバー２７ａを設けた例を示している。レバー２７ａは、カム２７の弧状部材２７ｂの反対側に設けられ、レバー２７ａを円筒部材１１から離れる方向に操作することにより、図３において点線で示すようにすき間が広くなる。
【００３０】
カム部材を装着するときは、踏板３１に押し込むことによって、ばね２９の付勢力に対抗して作業者が人力ですき間を広げて、長手部材固定装置１０を踏板３１に固定する。
【００３１】
図５はレバー２７ａを有するカム２７を示す図であり、図５（Ａ）は正面図（図３と同じ方向から見た図）であり、図５（Ｂ）は図５（Ａ）において、矢印ＶＢ-ＶＢで示す部分を示す矢視図である。図５（Ａ）、（Ｂ）を参照して、カム２７は、軸部材２５を貫通させる軸穴２７ｄを有し、軸穴２７ｄの一方側に斜め上方向に延びるレバー２７aを有し、他方側に円弧状の弧状部材２７ｂを有する。
【００３２】
カム２７の一方側側面には、円柱状の突起２７ｅが設けられている。この突起２７ｅは、カム２７をカム２８とほぼ同期して回動させるために設けられている。具体的には後述する。
【００３３】
円弧状の弧状部材２７ｂの下面２７ｃには複数の凸部が設けられている。これは、カム２７,２８が踏板３１に装着されたときに、カム２７,２８の弧状部材２７ｂ等との摩擦力を増大するためのもので、連続した複数の溝を軸部材２５に平行に設けてもよいし、両者を設けてもよい。
【００３４】
なお、カム２７はなめらかな円弧状の弧状部材２７ｂを有するが、径方向寸法が不連続に異なる段付きの構成であってもよい。
【００３５】
この複数の凸部および／または溝があれば、一旦、長手部材固定装置１０を踏板３１に押し込むようにして踏板３１に挿入すれば、長手部材固定装置１０は踏板３１へ食い込むようになるため、踏板３１から離れなくなる。
【００３６】
図６はレバーを有さないカム２８を示す図であり、図６（Ａ）は正面図（図３と同じ方向から見た図）であり、図６（Ｂ）は図６（Ａ）において、矢印ＶＩＢ-ＶＩＢで示す部分を示す矢視図である。図６（Ａ）、（Ｂ）を参照して、カム２８は、レバー２７aを有さない点を除いて、基本的に図５（Ａ）、（Ｂ）に示したカム２７と同様である。
【００３７】
カム２８の一方側側面には、軸穴２８ｄに向かう一対の直方体状の突起２８ｅ，２８ｆが設けられている。これらの一対の突起２８ｅ，２８ｆは、図５に示した突起２７ｅを挟むように配置され、これによって、カム２７と２８とが同一方向に同時に回動する。これらの要素のカム２７,２８における係合状態を図３に示している。
【００３８】
固定部２０の円筒部材１１との接合部は円筒部材１１の外周に沿うように曲げられていてもよい。
【００３９】
次に、長手部材固定装置１０を踏板３１に固定する方法について説明する。図３を参照して、カム部材２７，２８の下端部の弧状部材２７ｂ，２８ｂは軸部材２５から弧状部材２７ｂ，２８ｂへの径が円筒部材１１から離れた側の端部が短く、円筒部材１１側の端部に至るにつれて順に長くなるように構成されている。その結果、通常は、ばねの付勢力によって、図中実線で示す状態、すなわち、空間２４の下面（踏板を保持する部分）２１ｄとカム部材２７，２８の下端部の弧状部材２７ｂ，２８ｂの下面２７ｃ，２８ｃとの隙間が狭くなるように保持される。一方、ばね２９の付勢力に反する方向にレバー２７ａを作動させると、図中点線で示すように隙間が大きくなり、隙間が最大になるときのカム部材２７ｂ，２８ｂの最下端部と凹部の下面２１ｄとの隙間は図中に示す寸法ａとなる。一方、隙間が最も小さいときは寸法ｂとなる。
【００４０】
したがって、厚さがａ〜ｂを有する踏板であれば、このすき間で保持可能である。また、踏板３１に固定されている長手部材固定装置１０を外そうとしても、隙間が狭くなるので、外れなくなる。
【００４１】
このようにして、踏板を空間２４で挟むと、カム２７,２８に設けられた凹凸は、踏板が空間２４から離れない向きに形成されているため、長手部材固定装置１０は踏板から離れなくなる。
【００４２】
次に、この長手部材固定装置１０を建設現場の階段用の仮設の手摺として使用する場合について説明する。図７はこの場合の手摺の正面図である。ここでは、手摺は伸縮が可能であり、短くした場合を図７（Ａ）に、長くした場合を図７（Ｂ）に示す。図８は、図７（Ａ）において、ＶＩＩＩ-ＶＩＩＩで示す部分の矢視図である。なお、図８（Ｂ）においては、踏板３１の図示は省略している。
【００４３】
図７（Ａ），（Ｂ）および図８を参照して、階段用の仮設の手摺４０は鋼管で構成され、縦方向に延びる円筒状の手摺支柱４１、４２と、円筒状の手摺支柱４１、４２をその上端部および中間部で接続する円筒状のパイプで形成された手摺４５および中さん４６と、手摺４５および中さん４６をそれぞれの両端部の間で接続する接続補強材４３とを含む。手摺４５および中さん４６は、手摺４５ａ、中さん４６ａと、それぞれの手摺本体よりも径の小さい手摺支柱で形成された延長用の手摺部４５ｂ，４６ｂが内蔵されている。
【００４４】
手摺支柱４１の上端部と上部手摺４５とは滑らかに接続され、手摺支柱４２の上端部と延長用の手摺部４５ｂとは滑らかに接続されている。
【００４５】
中さん４６は手摺支柱４１の中央部と接続され、中さん４６の延長部４６ｂは手摺支柱４２の中間部と接続されている。
【００４６】
次に、この長手部材固定装置１０を建設現場の階段が取り付けられる部分に生じる開口部の仮設の手摺として使用する場合について説明する。図９はこの場合の手摺の正面図である。ここでも、手摺は伸縮が可能であり、短くした場合を図９（Ａ）に、長くした場合を図９（Ｂ）に示す。
【００４７】
図９（Ａ），（Ｂ）を参照して、建設現場の開口部用の仮設の手摺は、水平である点を除いて、階段用と同じであるので、その説明を省略する。
【００４８】
なお、図７〜図９においては、長手部材固定装置１０が踏板３１に係合している状態、または、係合しようとしている状態を示している。
【００４９】
また、長手部材固定装置１０の具体的な使用例は図１１を参照して後で説明する。
【００５０】
次に、この発明の他の実施の形態に係る長手部材固定装置５０について説明する。この実施の形態の具体的構成の正面図を図１０（Ａ）に、図１０（Ａ）において、矢印ＸＢ-ＸＢで示す部分の矢視図を図１０（Ｂ）に示す。この実施の形態においては、長手部材固定装置５０が下から突出する所定の厚さを有するササラ桁に固定される点が、先の実施の形態と異なる。
【００５１】
図１０（Ａ）および（Ｂ）を参照して、この実施の形態の長手部材固定装置５０は、図において上下方向に延在する円筒部材６１と、円筒部材６１の下部において、下から突出する板状の部材に固定するための固定部７０とを含む。図１０（Ｂ）に示すように、ここでは、円筒部材６１を挟むように一対の台形の補強板が設けられているが、これは無くてもよい。
【００５２】
この実施の形態において、固定部７０の空間７４が下方向に開口している点を除いて、先の実施の形態と基本的な構成は同じである。
【００５３】
すなわち、この実施の形態では、横方向（水平方向）に延在する長手方向の中央部に一定の厚さを有するササラ桁３１を挟むことができるように、下方向（第３方向）に開口部を有する「コ」の字状の空間７４を有する角型管７１と、角型管７１の、紙面に垂直な方向（第２方向）に延在する対向する２つの辺間に設けられた軸部材７５と、軸部材７５の軸方向において相互に間隔をあけて軸部材７５を中心として回動可能に設けられ、下方向に円弧状の部分を有する一対のカム７７，７８と、一対のカム７７，７８を軸７５に対して、上方向に付勢する図示のないばねと、を含む。
【００５４】
ばねの構成や配置も基本的に先の実施の形態と同じであるので、ここではその説明を省略する。
【００５５】
次に、上記および他の実施の形態の具体的な使用例について説明する。図１１は、上記した各実施の形態に係る長手部材固定装置１０および５０の具体的な使用例を示す図であり、建設現場における、１階から２階へ至る階段付近を示す図である。図１１（Ａ）は側面図であり、図１１（Ｂ）、図１１（Ｃ），および、図１１（Ｄ）は、図１１（Ａ）において、矢印ＸＩＢ-ＸＩＢ、ＸＩＣ-ＸＩＣ，および、ＸＩＤ-ＸＩＤで示す部分の矢視図であり、る。
【００５６】
図１１（Ａ）〜（Ｄ）を参照して、建設現場において、１階から２階へ向かう階段８０の付近に長手部材固定装置１０,５０を用いた仮設の手摺が設けられる。ここでは複数の利用例を示すために、階段８０には、階段の踏板３１の両端面を保持するように、斜め方向に延在する一対の傾斜ササラ桁８０ａを有する部分と、踏板８２に平行な部分とそれに垂直な部分とを有する階段状のササラ桁を有する部分８０ｂとが設けられている。この階段８０に手摺支柱８５ａが設けられている。
【００５７】
また、この階段８０を設けるために、２階の床面には開口部８３が設けられ、この開口部８３の周囲に作業者が階段８０に落下しないようにするための図示のない、手摺が設けられている。これらの手摺を保持するためにも、長手部材固定装置１０,５０が設けられている。
【００５８】
まず、長手部材固定装置１０の使用例について説明する。図１１（Ａ）を参照して、長手部材固定装置１０は階段８０の１階床から２段目の踏板８２の端面に固定されている。長手部材固定装置１０は、手摺を支持するために縦方向に延びる手摺支柱８５ａを保持している。
【００５９】
図１１（Ｂ）を参照して、２階の床８４を支持するＨ形鋼８７のフランジに長手部材固定装置１０が取り付けられ、これが、図示のない手摺を支持するための縦方向（上方向）に延びる手摺支柱８７ａを保持している。
【００６０】
図１１（Ｃ）を参照して、階段８０の踏板８２の両端部に長手部材固定装置１０が取り付けられ、これによって、手摺支柱８５ａが保持される。
【００６１】
また、図１１（Ｄ）を参照して、階段８０の階段状ササラ桁８０ｂの両端部に長手部材固定装置５０が取り付けられ、これによって、手摺支柱８６ｂが保持される。
【００６２】
次に、長手部材固定装置５０の使用例について説明する。ここでは、長手部材固定装置５０は、傾斜して延在するササラ桁８０ａの傾斜した上端部に設けられ、長手部材固定装置５０は、傾斜したササラ桁８０ａに直交して延び、途中で上方向に曲げられた手摺支柱８６ａを保持している。
【００６３】
また、長手部材固定装置５０は、階段状のササラ桁８０ｂの踏板に平行な部分の上端部に設けられ、真直ぐ上方向に延在する手摺支柱８６ｂを保持している。
【００６４】
次に、図１１に示した仮設の階段の平面について説明する。ここでは、図１１とは異なって途中に踊り場を有する折り返し形の階段について説明する。図１２にこの場合の仮設の階段の平面図である。図１２（Ａ）は階段が設けられる、１階から２階への開口部８９を示す平面図であり、図１２（Ｂ）は仮設の階段を示す平面図である。図１２（Ａ），（Ｂ）を参照して、階段９０には、１階部分から順に、両側に設けられた斜めの手摺９１,９２、踊り場の外側にのみ設けられた水平の手摺９３〜９６、内側にのみ設けられた斜めの手摺９７が設けられる。それぞれの手摺９１〜９７の各々は、それぞれの両端部に設けられた手摺支柱９１ａ，９１ｂ、９２ａ，９２ｂ、…９７ａ，９７ｂによって支持されている。それぞれの手摺支柱の下端部には長手部材固定装置１０が設けられ、これが、階段９０の踏板の両端部に取り付けられている。
【００６５】
また、階段９０の設けられる２階の開口部８９には、この開口部８９の周囲を囲むように、水平の手摺１０１〜１０７が相互に近接して設けられている。それぞれの手摺１０１〜１０７の各々は、それぞれの両端部に設けられた手摺支柱１０１ａ，１０１ｂ、１０２ａ，１０２ｂ、…１０７ａ，１０７ｂによって支持されている。それぞれの手摺支柱の下端部には長手部材固定装置１０が設けられ、これらが、２階の開口部８９を支持するためのＨ形鋼に取り付けられている。
【００６６】
なお、この取付状態は、図１１（Ｂ）と同様であるので、その説明は省略する。
【００６７】
以上のように、この実施の形態においては、横方向に延在する部材には、長手部材固定装置１０が取り付けられ、縦方向に延在する部材には、長手部材固定装置５０が取り付けられる。また、これらの長手部材固定装置１０,５０の円筒部材１１，６１に挿入される手摺支柱は、真直ぐ延在してもよいし、途中で曲げられていてもよい。
【００６８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００６９】
この発明に係る長手部材固定装置は、仮設手摺の手摺支柱や親綱支柱のような長手部材を所定の被固定部に容易に取り付けることができるため、長手部材固定装置として有効に利用される。
【符号の説明】
【００７０】
１０，５０  長手部材固定装置、１１，６１  円筒部材、２０，７０  固定部、２１，７１  角型管、２４  空間、２５  軸部材、２７，２８  カム、２７ａ  レバー、２７ｂ，２８ｂ  弧状部材、２７ｃ，２８ｃ  下面、２７ｄ，２８ｄ  軸穴、２９  ばね、２９ａ  接続部，２９ｂ  端部、３１  踏板。
【図１】
2015209719.tif 000003
【図２】
2015209719.tif 000004
【図３】
2015209719.tif 000005
【図４】
2015209719.tif 000006
【図５】
2015209719.tif 000007
【図６】
2015209719.tif 000008
【図７】
2015209719.tif 000009
【図８】
2015209719.tif 000010
【図９】
2015209719.tif 000011
【図１０】
2015209719.tif 000012
【図１１】
2015209719.tif 000013
【図１２】
2015209719.tif 000014